(57)【要約】【課題】  映像再生装置に接続された表示装置がどのような解像度の表示フォーマットのものであるかを知ることにより、当該表示装置に最も適切な表示フォーマットの再生信号を映像再生装置から供給することができる映像信号再生・表示装置を提供する。【解決手段】  映像記録再生装置１０Ａに複数の映像データ（例えばＳＤ映像とＨＤ映像）がある場合、表示装置３０から表示可能フォーマットを示す信号を映像再生装置に送り、映像再生装置は自動的に最適な映像データを選択し、最もクオリティの高い映像信号を表示装置に供給することが可能となる。【選択図】  図２
2007081577.tif 000002
【特許請求の範囲】
【請求項１】
ＳＤとＨＤを含む複数の表示フォーマットの映像信号が記録されている記録媒体から映像信号を読み出して再生する映像再生装置と、前記映像再生装置から出力される映像信号を受けて映像を表示する表示装置からなる映像信号再生・表示装置において、
前記表示装置は表示可能フォーマットを示す信号を出力する表示フォーマット信号出力手段を有し、
前記映像再生装置は前記表示フォーマット信号に応答して、前記表示フォーマット信号により示される表示フォーマットに最適な出力映像フォーマットの映像信号を前記記録媒体から読み出して前記表示装置に出力するよう構成されていることを特徴とする映像信号再生・表示装置。
【請求項２】
前記映像再生装置は、光ディスク装置であって、複数の記録層にそれぞれ異なる表示フォーマットの映像信号が記録されている光ディスクから所望の映像信号を読み出すことが可能なように構成されていることを特徴とする請求項１に記載の映像信号再生・表示装置。
【発明の詳細な説明】
【技術分野】
【０００１】
本発明は、記録媒体に記録された映像信号を再生して表示する映像信号再生・表示装置に関する。
【背景技術】
【０００２】
近年、映像情報を記録する媒体としてＤＶＤ（Digital Versatile Disc）が広く普及しているが、ハイビジョン放送や地上波デジタル放送など高精細な画像の放送信号すなわちＨＤ（High Definition）の放送信号を記録するため、より高密度な記録再生をすることができる媒体及び装置の開発が進められている。
【０００３】
また、下記の特許文献１に記載されているように、１枚の光ディスクに複数の記録層を持ち、それぞれ異なる記録密度で記録再生できる光ディスクも提案されている。この光ディスクは、現在普及しているＤＶＤと次世代の高密度媒体を１枚にしたもので、ＤＶＤ層にはＳＤ(Standard Definition)映像を、次世代の高密度媒体にはＨＤ（High Definition）映像を記録することができるものである。これにより光ディスク１枚で従来のＤＶＤ機器にも次世代高密度再生機器にも対応することができる。
【特許文献１】特開２００４−９５０９８号公報
【発明の開示】
【発明が解決しようとする課題】
【０００４】
しかしながら、１つの記録媒体に同一のコンテンツが、例えばＳＤ及びＨＤのように異なる表示フォーマットで記録されている場合、そのどちらを再生するかは、映像を表示する表示装置の性能によって決めるべきである。表示装置の持つ性能を最大限発揮させるためには、ＨＤ映像（一般に１０８０ｉや７２０ｐ）に対応した解像度の高い表示装置であればＨＤ映像を再生し、ＨＤ映像に未対応の従来型（すなわち低解像度の）の表示装置であれば、ＳＤ映像を用いてＮＴＳＣ(National Television System Committee)などの信号を出力することとなる。
【０００５】
この際、現状の映像再生機器ではどのような解像度の表示装置が接続されているのか分からないため、ユーザが適切に選択する必要があり、手間が掛かったり、設定がよく分からないため適切な映像を選択できないなどの問題がある。
【０００６】
本発明は上記の点に着目してなされたものであり、表示装置から表示可能フォーマットを映像再生機器に通知することで、ユーザに手間をかけさせず自動的に最適な映像データを選択し、最もクオリティの高い映像出力を可能とする映像信号再生・表示装置を提供することを目的とする。
【課題を解決するための手段】
【０００７】
本発明は上記目的を達成するために、ＳＤとＨＤを含む複数の表示フォーマットの映像信号が記録されている記録媒体から映像信号を読み出して再生する映像再生装置と、前記映像再生装置から出力される映像信号を受けて映像を表示する表示装置からなる映像信号再生・表示装置において、
前記表示装置は表示可能フォーマットを示す信号を出力する表示フォーマット信号出力手段を有し、
前記映像再生装置は前記表示フォーマット信号に応答して、前記表示フォーマット信号により示される表示フォーマットに最適な出力映像フォーマットの映像信号を前記記録媒体から読み出して前記表示装置に出力するよう構成されている。
【０００８】
また、前記映像再生装置は、光ディスク装置であって、複数の記録層にそれぞれ異なる表示フォーマットの映像信号が記録されている光ディスクから所望の映像信号を読み出すことが可能なように構成されていることは、本発明の好ましい態様である。
【発明の効果】
【０００９】
本発明によれば、映像再生機器に複数の解像度の映像データ（例えばＳＤ映像とＨＤ映像）がある場合、映像表示装置から表示可能フォーマットを映像再生機器に通知することで、ユーザに手間をかけさせず自動的に最適な映像データを選択し、最もクオリティの高い映像出力を可能とする光ディスク映像記録再生装置を提供することができる。
【発明を実施するための最良の形態】
【００１０】
＜第１の実施の形態＞
以下に、本発明の実施の形態を添付図面を用いて説明する。図１は、本発明の映像信号再生・表示装置の第１の実施の形態としての光ディスク再生・表示装置の要部の構成を示す機能ブロックである。光ディスク再生・表示装置は、光ディスクから映像信号を読み出して再生することができる映像再生装置１０と映像再生装置１０からの映像を表示する表示装置３０と、映像再生装置と表示装置とをつなぐケーブル２６、２８とで構成されている。
【００１１】
また映像再生装置１０は、表示装置３０へ映像信号及び制御信号を入出力するコネクタ２４と、入出力及び装置全体の制御を行う入出力制御部２２と、記録する信号の符号化・復号化や変復調を行う信号処理部１８と、光ディスク１２へレーザ光を用いて読み書きを行う光ピックアップ部１４と所望の場所に光ピックアップ部１４からのレーザ光を移動・制御させる光ディスク制御部１６と表示装置３０から送られてくる表示可能フォーマット情報に基づき入出力制御部２２に最適な出力フォーマットを指示する表示能力判断部２０で構成されている。
【００１２】
また表示装置３０は、映像再生装置１０から送出される映像信号により画像を表示する表示部４０を有する他、映像再生装置１０からの映像信号及び制御信号を入出力するコネクタ５０と、入出力及び装置全体の制御を行う入出力制御部３２と、送られてきた映像信号を表示部４０用の信号に変換する信号処理部３６と、信号処理部３６から出力された信号により表示部４０を駆動する表示ドライブ回路３８と、表示装置３０の表示可能フォーマット情報を映像再生装置１０に通知する表示能力出力部３４で構成されている。
【００１３】
さらに映像再生装置１０と表示装置３０との間で通信される制御信号には、ケーブルが接続されたことを認識できる接続検出信号を含めることで、ケーブル２６、２８の接続後、自動的に情報のやり取りを行うことができる。これにより、ユーザに手間をかけさせることなく映像再生装置１０を最適な映像出力ができる状態に設定することができる。
【００１４】
＜第２の実施の形態＞
図２は、本発明の映像信号再生・表示装置の第２の実施の形態に用いる映像再生装置の一部を示すブロックである。すなわち、この第２の実施の形態は、図１に示す第１の実施の形態中の、映像再生装置１０に代えて２層光ディスクに対して記録・再生することが可能な映像記録再生装置を用いた点で、第１の実施の形態と異なり、その他の構成は第１の実施の形態と同様である。第２の実施の形態に用いられる映像記録再生装置１０Ａは、従来のＤＶＤ／ＣＤなどを読み書きするための赤色レーザ系回路１１Ａとブルーレイなどの次世代の高密度記録再生を行う青色レーザ系回路１１Ｂの２つの独立した回路を有している。このように２つの回路系を持つことで、それぞれ単一のメディアに対応するとともに、１枚の光ディスク１２Ａに複数の記録層（ＤＶＤとブルーレイなど）を持つ光ディスクにも対応することが可能となる。
【００１５】
信号処理部１８Ａは映像記録再生装置１０Ａに挿入された光ディスク１２Ａのタイプを判別し、光ディスクごとに最適な回路（赤色若しくは青色レーザ系回路）を用いて読み書きを行う。入出力制御部２２は表示装置３０との制御信号及び映像信号の入出力及び装置全体の制御を行う。表示能力判断部２０では、表示装置３０から送られてくる表示可能フォーマット情報に基づき入出力制御部２２に最適な出力フォーマットを指示する。
【００１６】
赤色レーザ系回路１１Ａ及び青色レーザ系回路１１Ｂ共機能ブロックは同一であるが、レーザ光の波長・対物レンズ・ディスク規格・信号フォーマットなどの内部構成は全く違ったものとなっている。赤色レーザ系回路１１Ａは、レーザ光波長６５０ｎｍ、対物レンズのＮＡ ０．６程度を有する光ピックアップ部４８Ａと、記録する信号をコード化する符号器４２Ａと、符号器４２Ａの出力信号を変調する変調器４４Ａと、変調器４４Ａの出力信号を光ディスク１２Ａに適したマルチパルス記録信号に変換するストラテジ回路４６Ａと、光ピックアップ部４８Ａを移動させるサーボ５８Ａと、光ピックアップ部４８Ａからの検出信号を増幅する増幅器５０Ａと、増幅器５０Ａからの出力信号を復調する復調器５２Ａと、復調器５２Ａからの出力信号を復号化して信号を再生する復号器５４Ａと、増幅器５０Ａからのエラー信号によりフォーカスやトラッキングなどのサーボ信号を出力するサーボ信号形成部５６Ａから構成される。
【００１７】
青色レーザ系回路１１Ｂは、レーザ光波長３９０〜４１０ｎｍ、対物レンズのＮＡ ０．８５程度を有する光ピックアップ部４８Ｂと、記録する信号をコード化する符号器４２Ｂと、符号器４２Ｂの出力信号を変調する変調器４４Ｂと、変調器４４Ｂの出力信号を光ディスク１２Ａに適したマルチパルス記録信号に変換するストラテジ回路４６Ｂと、光ピックアップ部４８Ｂを移動させるサーボ５８Ｂと、光ピックアップ部４８Ｂからの検出信号を増幅する増幅器５０Ｂと、増幅器５０Ｂからの出力信号を復調する復調器５２Ｂと、復調器５２Ｂからの出力信号を復号化して信号を再生する復号器５４Ｂと、増幅器５０Ｂからのエラー信号によりフォーカスやトラッキングなどのサーボ信号を出力するサーボ信号形成部５６Ｂから構成される。
【００１８】
図３は、図２に示した光記録媒体の一例として、２層型の光ディスク１２Ａの断面を示す拡大断面図である。この光ディスク１２Ａは複数（この例では２層）の記録層を持ち、光ディスク表面から０．６ｍｍの位置にＤＶＤ層を、また０．１ｍｍの位置にＢＤ層を形成している。ＤＶＤ層への記録データの読み書きは、レーザ光波長６５０ｎｍの赤色レーザ光を用いて行い、またＢＤ層への記録データの読み書きは、レーザ光波長４０５ｎｍの青色レーザ光を用いる。ＤＶＤ層、ＢＤ層共図３では単層となっているが、それぞれ複数の記録層を持たせ、さらに高密度化を図ることもできる。
【００１９】
図４は、現在高精細表示装置に広く普及しているＤ端子の形状とピン配列を示す図である。Ｄ端子には、Ｄ１〜Ｄ５まであり、映像信号フォーマットとしてはＳＤ（４８０ｉ、４８０ｐ）映像とＨＤ（１０８０ｉ、７２０ｐ、１０８０ｐ）映像を、Ｙ（輝度）とＰｂ、Ｐｒ（色差）の３本の信号を使い伝送している。また、ライン１〜３を用いて走査線数・走査線方式・アスペクト比の情報を表示装置へ通知することができる。また、プラグ挿入検出ピンを備え、再生装置と表示装置が接続されているか否かが検出できるようになっている。
【００２０】
しかしながら、現状のＤ端子では再生装置から表示装置への表示フォーマットの伝送は決められているが、表示装置から再生装置への表示フォーマット伝送は明示されていない。そこで本発明では、Ｄ端子の予備ライン（７、１０、１３ピン）を用いて表示装置の表示可能フォーマットを再生装置に伝送する。予備ラインの使用方法としては、例えば図５に示すように、対応可能な表示フォーマットがＤ１からＤ５のいずれであるかを、予備ラインを使用して通知する。
【００２１】
また、RS-232Cなどの調歩同期方式やＩ2Ｃなどの同期方式のシリアル伝送などを用いて表示可能フォーマットをシリアルデータ化して伝送してもよい。このように現在広く普及しているＤ端子を利用することで、追加のハード無しに表示フォーマット伝送を可能としている。
【００２２】
図６は、本発明の映像信号再生・表示装置の各実施の形態中の、表示装置３０の動作を説明するフローチャートである。表示装置３０では、ステップＳ１で電源投入を確認すると、その後ステップＳ２で常にケーブルの接続状態を監視し、ケーブル接続を検出すると、ステップＳ３で表示装置３０の表示可能フォーマット（Ｄ１〜Ｄ５）を示す信号を送出して映像再生装置１０（又は映像記録再生装置１０Ａ）に通知する。
【００２３】
図７は、本発明の映像信号再生・表示装置の各実施の形態中の、映像再生装置１０（又は映像記録再生装置１０Ａ）の動作を説明するフローチャートである。映像再生装置１０（又は映像記録再生装置１０Ａ）では、ステップＳ１１で電源投入を確認すると、その後ステップＳ１２で常にケーブルの接続状態を監視し、ケーブル接続を検出すると、表示装置３０から表示可能フォーマットを示す信号が送られてくるのを待つ。この際、図１に示した表示装置３０ではなく、既存の表示装置が接続されていた場合、表示可能フォーマットは送られてこないため、一定時間内に情報が送られてこない場合はタイムアウトし（ステップＳ１３、ステップＳ１４）、前回の映像出力状態（前回情報がない場合は、デフォルト状態）を保持し、映像出力を行う（ステップＳ１５）。
【００２４】
表示装置３０から表示可能フォーマットを示す信号が送られてきた場合、送られてきた信号を解析し（ステップＳ１６）、表示装置３０の表示能力を記憶しておく。映像再生装置１０（又は映像記録再生装置１０Ａ）に光ディスク１２（又は１２Ａ）が挿入されると、光ディスク解析を行いどのような種類の光ディスクか（ＣＤかＤＶＤかＢＤか、ＤＶＤ＋ＢＤのコンボ（複合ディスク）かなど）、どのようなデータか（音楽データか映像データか）、映像データならどのような映像（ＳＤ映像又はＨＤ映像）か、などを調べる（ステップＳ１７、ステップＳ１８）。その後、表示装置３０から送られてきた表示能力、すなわち表示可能フォーマットを示す信号と光ディスク解析により読み取った映像情報から、表示装置３０へどの映像フォーマットで出力するかを選択し、決定する（ステップＳ１９、ステップＳ２０）。
【００２５】
一例として、図２に示す光ディスク１２Ａの２つの記録層にそれぞれ、同一コンテンツのＳＤ映像とＨＤ映像があらかじめ記録されている場合について説明すると、表示装置３０がＳＤ映像を表示する能力しかない（すなわちＨＤ映像を表示する高解像度対応でない）場合、その表示可能フォーマットを示す信号を表示装置３０から受信して、映像記録再生装置１０Ａは、ＳＤ映像信号が記録されている層からＳＤ映像を読み出すように、赤色レーザ系回路１１Ａを駆動する。具体的には、図２中の表示能力判断部２０の出力信号により、赤色レーザ系回路１１Ａのみが駆動される。一方、表示装置３０がＨＤ映像を表示する能力を有している（すなわちＨＤ映像を表示する高解像度対応である）場合、その表示可能フォーマットを示す信号を表示装置３０から受信して、映像記録再生装置１０Ａは、ＨＤ映像信号が記録されている層からＨＤ映像を読み出すように、青色レーザ系回路１１Ｂを駆動する。具体的には、図２中の表示能力判断部２０の出力信号により、青色レーザ系回路１１Ｂのみが駆動される。
【００２６】
図１に示す映像再生装置１０を使用する場合は、表示装置３０がＳＤ映像を表示する能力しかない（すなわちＨＤ映像を表示する高解像度対応でない）場合、その表示可能フォーマットを示す信号を表示装置３０から受信して、映像再生装置１０は、ＳＤ映像信号が記録されている光ディスク１０からＳＤ映像を読み出すように、光ディスク制御部１６を制御する。具体的には、図１中の表示能力判断部２０の出力信号により、光ディスク制御部１６が駆動される。一方、表示装置３０がＨＤ映像を表示する能力を有している（すなわちＨＤ映像を表示する高解像度対応である）場合、その表示可能フォーマットを示す信号を表示装置３０から受信して、映像再生装置１０は、ＳＤ映像信号が記録されている光ディスク１０からＳＤ映像を読み出すように、光ディスク制御部１６を制御する。具体的には、図１中の表示能力判断部２０の出力信号により、光ディスク制御部１６が駆動される。
【００２７】
上記の説明は、映像再生装置１０がＳＤ映像を再生するよう設計されている場合のものである。映像再生装置１０がＨＤ映像を再生するよう設計されている場合は次のように動作する。すなわち、表示装置３０がＳＤ映像を表示する能力しかない（すなわちＨＤ映像を表示する高解像度対応でない）場合、その表示可能フォーマットを示す信号を表示装置３０から受信して、映像再生装置１０は、ＨＤ映像信号が記録されている光ディスク１０からＨＤ映像を読み出さないように、光ディスク制御部１６を制御する。具体的には、図１中の表示能力判断部２０の出力信号により、光ディスク制御部１６の駆動を停止する。一方、表示装置３０がＨＤ映像を表示する能力を有している（すなわちＨＤ映像を表示する高解像度対応である）場合、その表示可能フォーマットを示す信号を表示装置３０から受信して、映像再生装置１０は、ＨＤ映像信号が記録されている光ディスク１０からＨＤ映像を読み出すように、光ディスク制御部１６を制御する。具体的には、図１中の表示能力判断部２０の出力信号により、光ディスク制御部１６が駆動される。
【００２８】
上記各実施の形態は、映像再生装置として光ディスク装置を用いた例について説明したが、本発明は、複数の解像度、あるいは複数の表示フォーマットの映像データを再生することができる映像再生装置に適用可能であるので、映像再生装置は光ディスク装置に限らず、ビデオテープを用いるＶＴＲや、ハードディスク、半導体メモリ、その他の記憶媒体を用いた各種映像再生装置に適用可能である。また、本発明は、再生するときに特徴があるので、本発明の名称を映像信号再生・表示装置としているが、第２の実施の形態で説明したように記録機能をも有する映像記録再生装置を用いる場合にも同様に適用可能である。
【産業上の利用可能性】
【００２９】
上記説明から明らかなように、本発明の映像信号再生・表示装置は、表示装置の表示能力に応じた再生信号を映像再生装置から表示装置に供給することができるので、映像再生装置と表示装置を任意に組み合わせて構成する映像信号再生・表示装置として実現することにより表示装置に最も適切な解像度の映像信号を映像再生装置から表示装置に自動的に供給することができ、よって映像再生・表示の技術分野で有用である。
【図面の簡単な説明】
【００３０】
【図１】本発明の映像信号再生・表示装置の第１の実施の形態の要部の構成を示す機能ブロックである。
【図２】本発明の映像信号再生・表示装置の第２の実施の形態に用いる映像再生装置の要部の構成を示す機能ブロックである。
【図３】複数の記録層を持つ光ディスクの一例の断面図である。
【図４】本発明の各実施の形態で用いることができるＤ端子の形状とピン配列を示す図である。
【図５】本発明の各実施の形態において、Ｄ端子を用いた場合の予備ラインを用いた対応可能表示フォーマットの通知方法の一例を示す図である。
【図６】本発明の映像信号再生・表示装置の各実施の形態中の表示装置の動作を説明するフローチャートである。
【図７】本発明の映像信号再生・表示装置の各実施の形態中の映像再生装置の動作を説明するフローチャートである。
【符号の説明】
【００３１】
１０  映像再生装置
１０Ａ  映像記録再生装置
１１Ａ  赤色レーザ系回路
１１Ｂ  青色レーザ系回路
１２、１２Ａ  光ディスク
１４、４８Ａ、４８Ｂ  光ピックアップ部
１６  光ディスク制御部
１８、１８Ａ、３６  信号処理部
２０  表示能力判断部
２２、３２  入出力制御部
２４、５０  コネクタ
２６、２８  ケーブル
３０  表示装置
３４  表示能力出力部
３８  表示ドライブ回路
４０  表示部
４２Ａ、４２Ｂ  符号器
４４Ａ、４４Ｂ  変調器
４６Ａ、４６Ｂ  ストラテジ回路
５０Ａ、５０Ｂ  増幅器
５２Ａ、５２Ｂ  復調器
５４Ａ、５４Ｂ  復号器
５６Ａ、５６Ｂ  サーボ信号形成部
５８Ａ、５８Ｂ  サーボ
【図１】
2007081577.tif 000003
【図２】
2007081577.tif 000004
【図３】
2007081577.tif 000005
【図４】
2007081577.tif 000006
【図５】
2007081577.tif 000007
【図６】
2007081577.tif 000008
【図７】
2007081577.tif 000009